(57)【要約】  本明細書には、補助チャネルに関する呼設定遅延を減少させる必要に対処する種々の実施形態を記載する。拡張ＥＣＡＭなどチャネル割り当てメッセージング（１０４）に対する変更と、拡張ＳＣＭなどサービス接続メッセージング（１０８）に対する変更とを記載する。これらの変更により、呼設定シーケンスにの比較的早くにＳＣＨの割り当て（１１０）を行うことが可能となる。加えて、そのような変更されたメッセージングによりＢＳ（２０１）とＭＳ（２１０）との間のデータ（ＶｏＩＰを含む）の転送が効果的に加速されるときの判定及び予測のための実施形態を記載する。
2007512774.tif 000002
【特許請求の範囲】
【請求項１】
呼設定遅延の減少方法であって、
チャネル割り当てにおいて移動局（ＭＳ）が初期チャネルの提供可能なデータレートより高いデータレートを必要とするか否かをチャネル割り当てより前に基地局（ＢＳ）が判定するデータレート必要性判定工程と、
ＭＳが非トラフィック状態にある場合であって、チャネル割り当てにおいてＭＳは初期チャネルの提供可能なデータレートより高いデータレートを必要とするとＢＳが判定するとき、ＢＳがＭＳに初期チャネル割り当て情報及びＩＳ−２０００補助チャネル割り当て情報を含むチャネル割り当てメッセージングを送信し、ＭＳをトラフィック状態に遷移させるメッセージング送信工程とからなる方法。
【請求項２】
ＩＳ−２０００補助チャネル割り当て情報に対応する順方向補助チャネル（ＦＳＣＨ）を介してＢＳがＭＳにデータを送信するデータ送信工程と、
メッセージング送信工程とデータ送信工程との間にＢＳがＭＳにサービス接続メッセージ（ＳＣＭ）を送信することなく、データが送信されることとを含む請求項１に記載の方法。
【請求項３】
データレート必要性判定工程は、
ＭＳへの送信待ちのデータの量が閾値を超えること、
電子メールがＭＳへの送信待ちであること、及び、
ボイスメールがＭＳへの送信待ちであることのうちの１つ以上のインジケータが提示されているか否かを検知する工程を含む請求項１に記載の方法。
【請求項４】
チャネル割り当てメッセージングは、
補助チャネル識別子、
順方向／逆方向割り当て型の表示、
割り当てられる補助チャネル数の表示、
補助チャネル割り当ての持続時間の表示、
補助チャネル割り当ての開始時間の表示、
開始時間を表示するために用いられる開始時間単位の表示、
不連続伝送の最大許容持続時間の表示、
Ｔ＿ＡＤＤ逆方向補助チャネルアボート機能を使用するか否かの表示、
補助チャネル割り当て用のウォルシュ・カバー識別子の表示、及び、
フレーム当たりビット数のインデックスの表示のうちの１つ以上の情報を含む請求項１に記載の方法。
【請求項５】
データレート必要性判定工程は、ＭＳは初期チャネルの提供可能なデータレートより高いデータレートを必要とするとの明示的な表示なしで、ＭＳは初期チャネルの提供可能なデータレートより高いデータレートを必要とすると予測するデータレート予測工程を含むことと、
データレート予測工程は、
ＭＳが補助チャネル動作可能であること、
利用可能な無線リソースの量が閾値を超えること、
優先サービスレベルがＭＳに関連付けられていること、
ＭＳの最近の補助チャネル利用、
補助チャネルを用いるサービスに関するＭＳの最近の使用、
ＭＳからデータバーストメッセージングが受信されること、
ＭＳがデータサービスを要求していること、
ＭＳがディスパッチサービスを要求していること、
ＭＳは送信準備済みのデータを有することをＭＳが示すこと、
送信待ちのデータの量は閾値を超えることをＭＳが示すこと、及び、
ＭＳのバッテリが不足していることのうちの１つ以上のインジケータが提示されているか否かを検知する工程を含むこととを含む請求項１に記載の方法。
【請求項６】
呼設定遅延の減少方法であって、
初期チャネル割り当て情報を提供するチャネル割り当てを基地局（ＢＳ）が移動局（ＭＳ）に送信し、ＭＳをトラフィック状態に遷移させるチャネル割り当て送信工程と、
サービス接続においてＭＳが初期チャネルの提供可能なデータレートより高いデータレートを必要とするか否かをサービス接続より前にＢＳが判定するデータレート必要性判定工程と、
サービス接続においてＭＳは初期チャネルの提供可能なデータレートより高いデータレートを必要とするとＢＳが判定するとき、ＢＳがトラフィック状態にあるＭＳにＩＳ−２０００補助チャネル割り当て情報を含むサービス接続メッセージングを送信するメッセージング送信工程とからなる方法。
【請求項７】
サービス接続メッセージはＩＳ−２０００サービス接続メッセージ（ＳＣＭ）を含むことと、
サービス接続メッセージは、
補助チャネル識別子、
順方向／逆方向割り当て型の表示、
割り当てられる補助チャネル数の表示、
補助チャネル割り当ての持続時間の表示、
補助チャネル割り当ての開始時間の表示、
開始時間を表示するために用いられる開始時間単位の表示、
不連続伝送の最大許容持続時間の表示、
Ｔ＿ＡＤＤ逆方向補助チャネルアボート機能を使用するか否かの表示、
補助チャネル割り当て用のウォルシュ・カバー識別子の表示、及び、
フレーム当たりビット数のインデックスの表示のうちの１つ以上の情報を含むこととを含む請求項６に記載の方法。
【請求項８】
呼設定遅延の減少方法であって、
移動局（ＭＳ）をトラフィック状態に遷移させるチャネル割り当てメッセージングを非トラフィック状態にあるＭＳが基地局（ＢＳ）から受信するメッセージング受信工程と、
チャネル割り当てメッセージングは初期チャネル割り当て情報及びＩＳ−２０００補助チャネル割り当て情報を含むことと、
初期チャネル割り当て情報を用いて初期チャネルを取得する初期チャネル取得工程と、
初期チャネル取得工程より後に、ＩＳ−２０００補助チャネル割り当て情報に対応する補助チャネルを使用する補助チャネル使用工程とからなる方法。
【請求項９】
発呼メッセージング、ページ応答メッセージング及び再接続メッセージングのうちの１つのメッセージング型からなるメッセージングを介してＭＳがＢＳに補助チャネルの要求を送信する補助チャネル要求送信工程を含む請求項８に記載の方法。
【請求項１０】
呼設定遅延の減少方法であって、
移動局（ＭＳ）をトラフィック状態に遷移させるチャネル割り当てをＭＳが基地局（ＢＳ）から受信するチャネル割り当て受信工程と、
チャネル割り当ては初期チャネル割り当て情報を提供することと、
初期チャネル割り当て情報を用いて初期チャネルを取得する初期チャネル取得工程と、
ＩＳ−２０００補助チャネル割り当て情報を含むサービス接続メッセージングをトラフ
ィック状態にあるＭＳが受信するメッセージング受信工程と、
サービス接続より後に、ＩＳ−２０００補助チャネル割り当て情報に対応する補助チャネルを使用する補助チャネル使用工程とからなる方法。
【請求項１１】
トランシーバと、同トランシーバに通信可能に接続されているコントローラとからなる基地局（ＢＳ）であって、
コントローラが、
チャネル割り当てにおいて移動局（ＭＳ）が初期チャネルの提供可能なデータレートより高いデータレートを必要とするか否かをチャネル割り当てより前に判定することと、
ＭＳが非トラフィック状態にある場合であって、チャネル割り当てにおいてＭＳは初期チャネルの提供可能なデータレートより高いデータレートを必要とするとＢＳが判定するとき、ＭＳに初期チャネル割り当て情報及びＩＳ−２０００補助チャネル割り当て情報を含むチャネル割り当てメッセージングを送信し、ＭＳをトラフィック状態に遷移させることとを含む基地局。
【請求項１２】
トランシーバと、同トランシーバに通信可能に接続されているコントローラとからなる基地局（ＢＳ）であって、
コントローラが、
初期チャネル割り当て情報を提供するチャネル割り当てをトランシーバを介して移動局（ＭＳ）に送信し、ＭＳをトラフィック状態に遷移させることと、
サービス接続においてＭＳが初期チャネルの提供可能なデータレートより高いデータレートを必要とするか否かをサービス接続より前に判定することと、
サービス接続においてＭＳは初期チャネルの提供可能なデータレートより高いデータレートを必要とするとＢＳが判定するとき、トラフィック状態にあるＭＳにＩＳ−２０００補助チャネル割り当て情報を含むサービス接続メッセージングをトランシーバを介して送信することとを含む基地局。
【請求項１３】
トランシーバと、同トランシーバに通信可能に接続されているプロセッサとからなる移動局（ＭＳ）であって、
プロセッサが、
ＭＳをトラフィック状態に遷移させるチャネル割り当てメッセージングを非トラフィック状態においてトランシーバを介して基地局（ＢＳ）から受信することと、
チャネル割り当てメッセージングは初期チャネル割り当て情報及びＩＳ−２０００補助チャネル割り当て情報を含むことと、
初期チャネル割り当て情報を用いてトランシーバを使用して初期チャネルを取得することと、
初期チャネルを取得するより後に、ＩＳ−２０００補助チャネル割り当て情報に対応する補助チャネルをトランシーバを介して使用することとを含む移動局。
【請求項１４】
トランシーバと、同トランシーバに通信可能に接続されているプロセッサとからなる移動局（ＭＳ）であって、
プロセッサが、
ＭＳをトラフィック状態に遷移させるチャネル割り当てをトランシーバを介して基地局（ＢＳ）から受信することと、
チャネル割り当ては初期チャネル割り当て情報を提供することと、
初期チャネル割り当て情報を用いてトランシーバを使用して初期チャネルを取得することと、
ＩＳ−２０００補助チャネル割り当て情報を含むサービス接続メッセージングをトラフィック状態にあるＭＳがトランシーバを介して受信することと、
サービス接続より後に、ＩＳ−２０００補助チャネル割り当て情報に対応する補助チャ
ネルを使用することとを含む移動局。
【発明の詳細な説明】
【技術分野】
【０００１】
本発明は移動体通信に関する。より詳細には、本発明は移動体通信システムにおける呼設定遅延の減少に関する。
【背景技術】
【０００２】
ＣＤＭＡ２０００システムなど今日の移動体通信システムにおいては、移動体の呼が設定又は再開（即ち、休止からの再作動）されているとき、より高いデータレートの補助チャネルの割り当ては、その移動体呼設定シーケンスにおいて比較的遅くに生じる。この問題を図１Ａに示す。図１Ａは、補助チャネル割り当てに関連する従来技術のメッセージングを示すメッセージングフロー図である。移動局（ＭＳ）は発呼（Ｏｒｉｇｉｎａｔｉｏｎ）、再接続（Ｒｅｃｏｎｎｅｃｔ）又はページ応答（Ｐａｇｅ  Ｒｅｓｐｏｎｓｅ）などのチャネル割り当て関連メッセージングを、基地局（ＢＳ）に送信する。そうしたメッセージングに応答して、或いは、そうしたメッセージングとは無関係に、ＢＳは拡張チャネル割り当てメッセージ（ＥＣＡＭ；Ｅｘｔｅｎｄｅｄ  Ｃｈａｎｎｅｌ  Ａｓｓｉｇｎｍｅｎｔ  Ｍｅｓｓａｇｅ）などのチャネル割り当てメッセージを送信し、続いて、割り当てられた初期チャネルにおいてチャネル取得メッセージングを送信する。チャネル取得後、ＢＳはサービス接続メッセージ（ＳＣＭ；Ｓｅｒｖｉｃｅ  Ｃｏｎｎｅｃｔ  Ｍｅｓｓａｇｅ）をＭＳに送信し、ＭＳはサービス接続完了メッセージ（ＳＣＣＭ；Ｓｅｒｖｉｃｅ  Ｃｏｎｎｅｃｔ  Ｃｏｍｐｌｅｔｉｏｎ  Ｍｅｓｓａｇｅ）により応答する。最後に、ＭＳは補助チャネル要求メッセージ（ＳＣＲＭ；Ｓｕｐｐｌｅｍｅｎｔａｌ  Ｃｈａｎｎｅｌ  Ｒｅｑｕｅｓｔ  Ｍｅｓｓａｇｅ）を用いてＢＳに補助チャネルを要求し得る。続いて、ＢＳは拡張補助チャネル割り当てメッセージ（ＥＳＣＡＭ；Ｅｘｔｅｎｄｅｄ
Ｓｕｐｐｌｅｍｅｎｔａｌ  Ｃｈａｎｎｅｌ  Ａｓｓｉｇｎｍｅｎｔ  Ｍｅｓｓａｇｅ）を用いて、ＭＳに対し逆方向補助チャネル（Ｒ−ＳＣＨ）を割り当てる。このように、ＭＳは上述のメッセージングにより遅延が蓄積された後にのみ、Ｒ−ＳＣＨを用いて、例えば、データパケット又はボイス・オーバ・インターネットプロトコル（ＶｏＩＰ）パケットを送信することができる。
【０００３】
呼設定遅延の減少が望ましいことは言うまでもない。より高速かつ高応答性のデータ通信又はＶｏＩＰサービス若しくはその両方により、エンドユーザの経験は向上し、ネットワークのオペレータには、新規顧客を誘引するとともに既存の顧客基盤を維持する競争的な利点が提供される。したがって、補助チャネルに関する呼設定遅延を減少させるための装置及び方法の必要が存在する。
【発明を実施するための最良の形態】
【０００４】
本明細書には、補助チャネルに関する呼設定遅延を減少させる必要に対処する種々の実施形態を記載する。拡張ＥＣＡＭなどのチャネル割り当てメッセージング及び拡張ＳＣＭなどのサービス接続メッセージングに対する変更を記載する。これらの変更により、呼設定シーケンスの比較的早くにＳＣＨの割り当てを行うことが可能となる。加えて、そのような変更されたメッセージングによりＢＳとＭＳとの間のデータ（ＶｏＩＰを含む）の転送が効果的に加速されるときの判定及び予測のための実施形態を記載する。
【０００５】
図１〜７を参照することにより、開示の実施形態をさらに完全に理解できる。図２は、本発明の複数の実施形態による移動体通信システム２００を示すブロック図である。通信システム２００は周知の符号分割多重接続（ＣＤＭＡ）システム、詳細にはＣＤＭＡ２０００システムであり、アメリカ電気通信工業会／アメリカ電子機械工業会（ＴＩＡ／ＥＩＡ）標準規格ＩＳ−２０００及びＩＳ−２００１に基づいているが、本発明を実装するよ
うに適切に変更されている。本発明の代替の実施形態は、ＩＳ−２０００及びＩＳ−２００１に類似の他の技術を用いる通信システムに実装されてよい。
【０００６】
図２には通信システム２００の動作に必要なネットワーク機器の全てが示されてはおらず、本発明の実施形態の説明に特に関連するシステム構成要素及び論理エンティティのみが示されていることを、当業者は認めるであろう。詳細には、通信システム２００のネットワーク機器は基地局（ＢＳ）２０１などの構成要素を備える。いずれも詳細には示さないが、基地局コントローラ（ＢＳＣ）及び基地局トランシーバシステム（ＢＴＳ）などの構成要素をＢＳが備えることは周知である。
【０００７】
図２にはＢＳ２０１を、コントローラ２０３及びトランシーバ２０２を備えるように示す。一般に、ＢＳコントローラ及びＢＳトランシーバなどの構成要素は周知である。例えば、ＢＳコントローラがマイクロプロセッサ、メモリデバイス及び論理回路のうちの１つ以上など、基本的な構成要素を備えることは周知である。通常、そうしたＢＳ構成要素は、例えば、コンピュータ命令などの高度設計言語若しくは記述により又は論理フロー図により若しくはその両方により、論理的に表現されるアルゴリズムを実装するように適合されている。したがって、アルゴリズム、論理フロー、メッセージングフロー及びプロトコル仕様のうちの１つ以上が与えられると、当業者には、その与えられた論理を実行するＢＳを実装するために利用可能な多くの設計・開発手法が認識される。
【０００８】
したがって、ＢＳ２０１は、本明細書の記載に従って、本発明の複数の実施形態を実装するように適合されている周知のＢＳを表す。詳細には、これに代えて、ＢＳ２０１は図４，５に関して記載される論理フローに具体化される。さらに、コントローラ２０３、トランシーバ２０２が、それぞれＢＳＣ、ＢＴＳに正確に対応することを意図するものではない。むしろ、コントローラ２０３、トランシーバ２０２は各々、別個の物理的構成要素に渡って存在することが可能であり、それらの物理的構成要素は同じ場所に配置されない場合もある。例えば、コントローラ２０３の代替の実施形態には、ＢＴＳのみの実施形態や、ＢＳＣとＢＴＳの結合された実施形態が含まれる。
【０００９】
ＢＳ２０１は、移動局（ＭＳ）２１０との通信用のチャネル２２０〜２２３からなるエアインタフェースを用いる。ＭＳプラットフォームが、移動体電話機、コンピュータ、パーソナル・デジタル・アシスタント、ゲームデバイスなどのデバイスを含むことは周知である。詳細には、ＭＳ２１０は、プロセッサ２１１、トランシーバ２１２、キーパッド（図示せず）、スピーカ（図示せず）、マイクロホン（図示せず）及びディスプレイ（図示せず）を備える。ＭＳにおいて用いられるプロセッサ、トランシーバ、キーパッド、スピーカ、マイクロホン及びディスプレイは、当業者には周知である。例えば、プロセッサがマイクロプロセッサ、メモリデバイス及び論理回路のうちの１つ以上など、基本的な構成要素を備えることは周知である。通常、そうしたＭＳ構成要素は、例えば、コンピュータ命令などの高度設計言語若しくは記述により又は論理フロー図により若しくはその両方により、論理的に表現されるアルゴリズムを実装するように適合されている。したがって、アルゴリズム、論理フロー、メッセージングフロー及びプロトコル仕様のうちの１つ以上が与えられると、当業者には、その与えられた論理を実行するＭＳを実装するために利用可能な多くの設計・開発手法が認識される。したがってＭＳ２１０は、本明細書の記載に従って、本発明の実施形態を実装するように適合されている周知のＭＳを表す。詳細には、これに代えて、ＭＳ２１０は図６，７に関して記載される論理フローに具体化される。
【００１０】
本発明による実施形態の動作は、ほぼ次のように生じる。図１Ｂは、本発明の複数の実施形態による補助チャネル割り当てに関連するメッセージングを示すメッセージングフロー図である。ＭＳ２１０のプロセッサ２１１は、トランシーバ２１２及び逆方向共通シグナリングチャネル／順方向共通シグナリングチャネル（ｒ−ｃｓｃｈｓ／ｆ−ｃｓｃｈｓ
）２２０を介し、ＢＳ２０１にメッセージング１０２を送信する。図１Ｂにおいて示すように、メッセージ１０２は、発呼’、再接続’又はページ応答’に対応する。ＢＳ２０１によるチャネル割り当てより前に、ＭＳ２１０により複数のメッセージのうちのいずれもが送信され得るため、複数のメッセージが挙げられる。しかしながら、ＭＳ２１０がまだアイドル状態にあるときにもチャネル割り当ての生じる場合があるので、チャネル割り当てにメッセージ１０２は必ずしも必要ではない。
【００１１】
一実施形態では、発呼’、再接続’及びページ応答’のうちの１つ以上は、図１Ａに関して説明したように、ＩＳ−２０００標準規格メッセージングと呼ばれる場合がある。しかしながら、代替の一実施形態では、発呼’、再接続’及びページ応答’は、変更されたＩＳ−２０００メッセージングを表す。この変更には、例えば、ＭＳ２１０が補助チャネルを要求していることを示す各メッセージに、単一のビットを追加することが含まれる。あるいは、各メッセージに対する変更には、ＩＳ−２０００補助チャネル要求メッセージ（ＳＣＲＭ）又は類似のメッセージングを追加することが含まれる。
【００１２】
本発明の第１の実施形態では、チャネル割り当てにおいてＭＳ２１０が初期チャネルの提供可能なデータレートより高いデータレートを必要とするか否かを、チャネル割り当てより前にＢＳ２０１のコントローラ２０３が判定する。ＭＳ２１０が非トラフィック状態（例えば、アイドル状態又はアクセス状態）にあり、かつ、チャネル割り当てにおいてＭＳ２１０は初期チャネルの提供可能なデータレートより高いデータレートを必要とするとＢＳ２０１が判定するとき、コントローラ２０３はＭＳ２１０をトラフィック状態に遷移させるため、トランシーバ２１２及びｒ−ｃｓｃｈｓ／ｆ−ｃｓｃｈｓ２２０を介しＭＳ２１０にチャネル割り当てメッセージング１０４を送信する。第１の実施形態では、チャネル割り当てメッセージ１０４は、初期チャネル割り当て情報及びＩＳ−２０００補助チャネル割り当て情報の両方を含む。図１Ａに示したような現在のＩＳ−２０００  ＥＣＡＭには、初期チャネル割り当て情報は含まれるが、補助チャネル割り当て情報は含まれない。初期チャネルには、例えば、基本チャネル、専用制御チャネル、及び少なくとも部分的には制御に関連するチャネルが含まれる。したがって、図１ＢのＥＣＡＭ’は、変更されたＩＳ−２０００  ＥＣＡＭを表す。
【００１３】
当然のことながら、一般にチャネル割り当てメッセージにより補助チャネル割り当て情報及び初期チャネル割り当て情報を伝達する多数の手段が存在することを、当業者は認めるであろう。例えば、ＩＳ−２０００  ＥＣＡＭが変更されてもよく（第１の実施形態におけるように）、ＩＳ−２０００  ＥＣＡＭ若しくは変更されたＩＳ−２０００  ＥＣＡＭに加えて又は代えて、他のチャネル割り当てメッセージが変更されてもよく、新たに作成されてもよい。図３は、本発明の複数の実施形態により既存のメッセージに対し追加されるフィールドの例示的なビット定義を示すテーブル３００である。テーブル３００においてＩＳ−２０００  ＥＣＡＭに追加されるフィールドを、Ｒ−ＳＣＨ割り当て（Ｆ−ＳＣＨ割り当てでなく）をサポートする変更されたメッセージングの一例として、以下で詳細に説明する。
【００１４】
セクション及びテーブルの参照は、Ｃ．Ｐ０００５−Ｃ／ＴＩＡ−２０００．５−Ｃ（３ＧＰＰ２参照／ＴＩＡ参照）に対するものである。
ＲＥＶ＿ＳＣＨ＿ＡＳＳＩＧＮ＿ＩＮＣＬ
逆方向補助チャネル割り当てが含まれることのインジケータ。このメッセージが逆方向補助チャネル割り当てを含む場合、基地局はこのフィールドを「１」と設定する。含まない場合、基地局はこのフィールドを「０」と設定する。
【００１５】
ＳＴＡＲＴ＿ＴＩＭＥ＿ＵＮＩＴ
開始時間の単位。ＲＥＶ＿ＳＣＨ＿ＡＳＳＩＧＮ＿ＩＮＣＬが「０」と設定されている
場合、基地局はこのフィールドを省略する。設定されていない場合、基地局はこのフィールドを含み、このフィールドを次のように設定する：
基地局はこのフィールドを、このメッセージ、拡張補助チャネル割り当てメッセージ、順方向補助チャネル割り当てミニメッセージ（Ｆｏｒｗａｒｄ  Ｓｕｐｐｌｅｍｅｎｔａｌ  Ｃｈａｎｎｅｌ  Ａｓｓｉｇｎｍｅｎｔ  Ｍｉｎｉ  Ｍｅｓｓａｇｅ）、逆方向補助チャネル割り当てミニメッセージ（Ｒｅｖｅｒｓｅ  Ｓｕｐｐｌｅｍｅｎｔａｌ  Ｃｈａｎｎｅｌ  Ａｓｓｉｇｎｍｅｎｔ  Ｍｉｎｉ  Ｍｅｓｓａｇｅ）及びユニバーサルハンドオフ指示メッセージ（Ｕｎｉｖｅｒｓａｌ  Ｈａｎｄｏｆｆ  Ｄｉｒｅｃｔｉｏｎ  Ｍｅｓｓａｇｅ）に開始時間の単位が含まれることを示すように設定する。基地局はこのフィールドを、ＳＴＡＲＴ＿ＴＩＭＥ＿ＵＮＩＴを決定する２０ｍｓフレームの数より小さい数に設定する。
【００１６】
ＲＥＶ＿ＳＣＨ＿ＤＴＸ＿ＤＵＲＡＴＩＯＮ
逆方向補助チャネルにおける不連続伝送。ＲＥＶ＿ＳＣＨ＿ＡＳＳＩＧＮ＿ＩＮＣＬが「０」と設定されている場合、基地局はこのフィールドを省略する。設定されていない場合、基地局はこのフィールドを含み、このフィールドを次のように設定する：
基地局はこのフィールドを、２０ｍｓ単位で、移動局が逆方向割り当て持続時間内に逆方向補助チャネルにおける伝送を停止することが許容される最大持続時間に設定する。移動局が逆方向補助チャネルにおける伝送を停止したときに、逆方向補助チャネルの使用を停止する場合、基地局はこのフィールドを「００００」と設定する。移動局が逆方向割り当て持続時間内の任意の時間に逆方向補助チャネルにおいて伝送を再開することが許容される場合、基地局はこのフィールドを「１１１１」と設定する。
【００１７】
ＵＳＥ＿Ｔ＿ＡＤＤ＿ＡＢＯＲＴ
逆方向補助チャネルは、Ｔ＿ＡＤＤアボートインジケータを用いる。ＲＥＶ＿ＳＣＨ＿ＡＳＳＩＧＮ＿ＩＮＣＬが「０」と設定されている場合、基地局はこのフィールドを省略する。設定されていない場合、基地局はこのフィールドを含み、このフィールドを次のように設定する：
この逆方向割り当てにおいて移動局がＴ＿ＡＤＤ逆方向補助チャネルアボート機能を利用することを示すためには、基地局はこのフィールドを「１」と設定する。そうでない場合、基地局はこのフィールドを「０」と設定する。
【００１８】
ＮＵＭ＿ＲＥＶ＿ＳＣＨ
割り当てられる逆方向補助チャネルの数。ＲＥＶ＿ＳＣＨ＿ＡＳＳＩＧＮ＿ＩＮＣＬが「０」と設定されている場合、基地局はこのフィールドを省略する。設定されていない場合、基地局はこのフィールドを含み、このフィールドを次のように設定する：
基地局はこのフィールドを、割り当てられる逆方向補助チャネルの数に設定する。基地局はこのフィールドを「００」と設定しない。
【００１９】
基地局はＮＵＭ＿ＲＥＶ＿ＳＣＨの発生により次のレコードを含む。
ＲＥＶ＿ＳＣＨ＿ＩＤ
逆方向補助チャネル識別子。基地局はこのフィールドを逆方向補助チャネルの識別子に設定する。
【００２０】
ＲＥＶ＿ＳＣＨ＿ＤＵＲＡＴＩＯＮ
逆方向補助チャネル割り当ての持続時間。基地局は、このメッセージのＲＥＶ＿ＳＣＨ＿ＳＴＡＲＴ＿ＴＩＭＥにより指定される明示的な開始時間に始まり、同じ補助チャネルに対応する続く逆方向補助チャネル割り当てにより指定される開始時間まで、ＲＥＶ＿ＳＣＨ＿ＩＤにより指定される逆方向補助チャネルにおいて移動局が伝送してよいことを示すように、このフィールドを「１１１１」と設定する（セクション２．６．６．２．５．
１．１を参照）。基地局はこのフィールドを、テーブル３．７．３．３．２．３７−３に従い、このメッセージのＲＥＶ＿ＳＣＨ＿ＳＴＡＲＴ＿ＴＩＭＥにより指定される明示的な開始時間に始まり、ＲＥＶ＿ＳＣＨ＿ＩＤにより指定される逆方向補助チャネルにおいて移動局が伝送してよい持続時間に、設定する。基地局はこのフィールドを「００００」と設定しない。
【００２１】
ＲＥＶ＿ＳＣＨ＿ＳＴＡＲＴ＿ＴＩＭＥ
逆方向補助チャネル割り当ての開始時間。基地局はこのフィールドを、ＳＴＡＲＴ＿ＴＩＭＥ＿ＵＮＩＴにより指定される時間単位により、移動局がこのメッセージにより指定される逆方向補助チャネルにおいて伝送してよいＳｙｓｔｅｍ  Ｔｉｍｅ（３２の法）と設定する。逆方向補助チャネルにおける伝送の明示的な開始時間は、（ｔ／（ＳＴＡＲＴ＿ＴＩＭＥ＿ＵＮＩＴ＋１）−ＲＥＶ＿ＳＣＨ＿ＳＴＡＲＴ＿ＴＩＭＥ）  ｍｏｄ  ３２＝０、となる時間である。ここでｔは、２０ｍｓ単位のＳｙｓｔｅｍ  Ｔｉｍｅである。
【００２２】
本発明の一実施形態では、示される開始時間は、期待されるトラフィックチャネル調整完了時間（即ち、チャネル割り当てメッセージングの後ではなくチャネル割り当てメッセージング中に開始時間が示されているとき）及び利用可能な無線リソースの相対量に基づき決定される。このため、この実施形態では、利用可能な無線リソースの相対量がより多いとき（換言すると、無線リソースの浪費に関する懸念がより少ないとき）より早い開示時間が決定され、したがって、利用可能な無線リソースの相対量がより少ないとき（即ち、無線リソースの浪費を避けることが必要なとき）より遅い開示時間が決定される。このように開始時間を調節することにより、ＭＳがチャネルを取得した後に待機することなく、ＭＳがＲ−ＳＣＨの使用を開始することが可能となる。
【００２３】
ＲＥＶ＿ＷＡＬＳＨ＿ＩＤ
逆方向補助チャネル・ウォルシュ・カバー識別子（Ｗａｌｓｈ  ｃｏｖｅｒ  ｉｄｅｎｔｉｆｉｅｒ）。基地局は、移動局がＲＥＶ＿ＳＣＨ＿ＮＵＭ＿ＢＩＴＳ＿ＩＤＸにより指定されるフレーム当たりビット数をＲＥＶ＿ＳＣＨ＿ＩＤにより指定される逆方向補助チャネルにおいて伝送するときに使用するウォルシュ・カバーＩＤを示すように、このフィールドを、テーブル３．７．３．３．２．３７−１に従い設定する。１つの逆方向補助チャネルのみが割り当てられる場合、基地局はこのフィールドを、セクション２．６．４．２にて指定されるようにＲＥＶ＿ＷＡＬＳＨ＿ＩＤのデフォルト値に設定する。
【００２４】
ＲＥＶ＿ＳＣＨ＿ＮＵＭ＿ＢＩＴＳ＿ＩＤＸ
逆方向補助チャネルのフレーム当たりビット数のインデックス。ＵＳＥ＿ＦＬＥＸ＿ＮＵＭ＿ＢＩＴＳが「０」に等しい場合、又は、ＵＳＥ＿ＦＬＥＸ＿ＮＵＭ＿ＢＩＴＳが「１」に等しく、かつ、ＲＳＣＨ＿ＮＢＩＴ＿ＴＡＢＬＥ＿ＩＤ［ＲＥＶ＿ＳＣＨ＿ＩＤ］が「００００」に等しい場合、基地局は、ＲＥＶ＿ＷＡＬＳＨ＿ＩＤフィールドに対応する、逆方向補助チャネルのフレーム当たり情報ビット数及びフレーム当たりＣＲＣビット数を示すように、このフィールドを、テーブル３．７．３．３．２．３７−２に従い設定する。ＵＳＥ＿ＦＬＥＸ＿ＮＵＭ＿ＢＩＴＳが「１」に等しく、かつ、ＲＳＣＨ＿ＮＢＩＴ＿ＴＡＢＬＥ＿ＩＤ［ＲＥＶ＿ＳＣＨ＿ＩＤ］が「００００」に等しくない場合、基地局はこのフィールドを、ＲＥＶ＿ＷＡＬＳＨ＿ＩＤフィールドがＮＵＭ＿ＢＩＴＳ［ＲＳＣＨ＿ＮＢＩＴ＿ＴＡＢＬＥ＿ＩＤ［ＲＥＶ＿ＳＣＨ＿ＩＤ］］［ＲＥＶ＿ＳＣＨ＿ＮＵＭ＿ＢＩＴＳ＿ＩＤＸ］であることに対応する、逆方向補助チャネルのフレーム当たり情報ビット数と、ＲＥＶ＿ＷＡＬＳＨ＿ＩＤフィールドがＣＲＣ＿ＬＥＮ＿ＩＤＸ［ＲＳＣＨ＿ＮＢＩＴ＿ＴＡＢＬＥ＿ＩＤ［ＲＥＶ＿ＳＣＨ＿ＩＤ］］［ＲＥＶ＿ＳＣＨ＿ＮＵＭ＿ＢＩＴＳ＿ＩＤＸ］であることに対応する、逆方向補助チャネルのフレーム当たりＣＲＣビット数とを示すように設定する。
【００２５】
トランシーバ２１２を介するチャネル割り当てメッセージ１０４の受信の後、受信した初期チャネル割り当て情報を用いて、ＭＳ２１０とＢＳ２０１とはトランシーバ２０２，２１２を介して周知のシグナリング１０６を交換し、ＭＳ２１０による初期チャネル２２１の取得を有効とする。図１Ｂにはサービス接続メッセージング１０８及びサービス接続完了メッセージング１１２を示すが、第１の実施形態では、ＭＳ２１０がトランシーバ２１２を介して、受信したＩＳ−２０００補助チャネル割り当て情報に対応する補助チャネルを使用するためには、それらのメッセージは必要ない。即ち、チャネル割り当てメッセージング１０４により割り当てられるように、ＭＳ２１０は逆方向補助チャネル（Ｒ−ＳＣＨ）２２２及び順方向補助チャネル（Ｆ−ＳＣＨ）２２３のうちの１つ以上を介し、データ１１０（ＶｏＩＰを含む）の送信及び受信のうちの１つ以上を開始し得る。
【００２６】
本発明の第２の実施形態では、ＢＳ２０１のコントローラ２０３はＭＳ２１０をトラフィック状態に遷移させるため、トランシーバ２０２及びｒ−ｃｓｃｈｓ／ｆ−ｃｓｃｈｓ２２０を介しＭＳ２１０にチャネル割り当てメッセージング１０４を送信する。しかしながら、第１の実施形態とは対照的に第２の実施形態では、チャネル割り当てメッセージング１０４は、初期チャネル割り当て情報を含むが補助チャネル割り当て情報を含まないＥＣＡＭなど、ＩＳ−２０００チャネル割り当てメッセージを含む。トランシーバ２１２を介するチャネル割り当てメッセージング１０４の受信の後、受信した初期チャネル割り当て情報を用いて、ＭＳ２１０とＢＳ２０１とはトランシーバ２０２，２１２を介して周知のシグナリング１０６を交換し、ＭＳ２１０による初期チャネル２２１の取得を有効とする。
【００２７】
第２の実施形態では、サービス接続においてＭＳ２１０が初期チャネルの提供可能なデータレートより高いデータレートを必要とするか否かを、サービス接続より前にコントローラ２０３が判定する。サービス接続においてＭＳ２１０は初期チャネルの提供可能なデータレートより高いデータレートを必要とするとＢＳ２０１が判定するとき、コントローラ２０３は、トランシーバ２０２及び初期チャネル２２１を介しＭＳ２１０にサービス接続メッセージング１０８を送信し、トラフィック状態にあるときに、プロセッサ２１１はトランシーバ２１２を介しサービス接続メッセージング１０８を受信する。第２の実施形態では、サービス接続メッセージング１０８は、ＩＳ−２０００補助チャネル割り当て情報を含む。図１Ａに示したような現在のＩＳ−２０００  ＳＣＭには、補助チャネル割り当て情報は含まれない。したがって、図１ＢのＳＣＭ’は、変更されたＩＳ−２０００  ＳＣＭを表す。
【００２８】
当然のことながら、一般にサービス接続メッセージングにより補助チャネル割り当て情報を伝達する多数の手段が存在することを、当業者は認めるであろう。例えば、ＩＳ−２０００  ＳＣＭが変更されてもよく（第２の実施形態におけるように）、ＩＳ−２０００
ＳＣＭ若しくは変更されたＩＳ−２０００  ＳＣＭに加えて又は代えて、他のサービス接続メッセージが変更されてもよく、新たに作成されてもよい。テーブル３００には、ＩＳ−２０００  ＥＣＡＭ（上述）又はＩＳ−２０００  ＳＣＭなど、既存のメッセージングに対し追加されるフィールドの例示的なビット定義を示す。したがって、上述の詳細な例示的な説明のテーブル３００のフィールドがＩＳ−２０００  ＳＣＭに追加され、ＳＣＭ’が作成されてもよい。
【００２９】
第２の実施形態では、続いて、ＭＳ２１０は、サービス接続メッセージング１０８を受信すると、応答して、サービス接続完了メッセージング１１２を送信する。このとき、ＭＳ２１０はトランシーバ２１２を介し、受信したＩＳ−２０００補助チャネル割り当て情報に対応する補助チャネルの使用を開始してよい。即ち、サービス接続メッセージング１０８により割り当てられるように、ＭＳ２１０は逆方向補助チャネル（Ｒ−ＳＣＨ）２２２及び順方向補助チャネル（Ｆ−ＳＣＨ）２２３のうちの１つ以上を介し、データ１１０
（ＶｏＩＰを含む）の送信又は受信を開始し得る。
【００３０】
したがって、第１、第２の実施形態の両方において、図１Ａに示したメッセージングの全てを待機する必要なく、補助チャネルをＢＳ２０１とＭＳ２１０との間のデータ転送に使用できる。詳細には、ＳＣＲＭやＥＳＣＡＭの送信／受信なしで補助データ転送を開始できる。加えて、第１の実施形態の場合、ＳＣＭ及びＳＣＣＭが送信／受信される必要がない。したがって、上述の実施形態により、呼設定遅延の減少（例えば、より少ない遅延でデータが伝送される）、無線帯域幅要件の緩和、及び移動体バッテリ寿命の増大などの利点が得られる。
【００３１】
図４は、本発明の第１の実施形態によりＢＳの実行する機能の論理フロー図である。論理フロー４００が開始し（４０２）、ＢＳは非トラフィック状態において、ＭＳから、発呼、再接続又はページ応答など、チャネル割り当て関連メッセージングを受信する（４０４）。しかしながら、チャネル割り当てはＭＳからの要求、即ち、トリガなしで発生し得る得るので、ＢＳによるチャネル割り当てにそうしたメッセージングは必ずしも必要ではない。第１の実施形態では、チャネル割り当てにおいてＭＳが初期チャネルの提供可能なデータレートより高いデータレートを必要とするか否かを、チャネル割り当てより前にＢＳが判定する。この判定を行う際、多くの因子が考慮されてよい。例えば、初期チャネル割り当てにおいてＭＳがＦ−ＳＣＨを必要とすること（４０６）や、ＭＳから受信されるメッセージングが明示的にＲ−ＳＣＨを要求すること（４０８）を提示する表示が存在する。或いは、初期チャネル割り当てにおいてＭＳがＲ−ＳＣＨを必要とすること（４１０）を提示する表示が存在する。これらの条件のうちのいずれかが提示される場合、条件の保証するところに従い、１つ以上のＲ−ＳＣＨ若しくはＦ−ＳＣＨ又はその両方において、ＢＳは初期チャネル割り当て情報及びＩＳ−２０００補助チャネル割り当て情報を含むチャネル割り当てメッセージングを送信する（４１４）。いずれも提示されない場合、ＩＳ−２０００  ＥＣＡＭなど、従来技術のチャネル割り当てメッセージングがＭＳに対し送信され（４１２）、論理フロー４００は終了する（４１６）。
【００３２】
ＢＳは、送信されることを待機している送信待ちの電子メール又はボイスメール（ｖｏｉｃｅ  ｍａｉｌ）が存在していることなどのインジケータに基づき、より一般的には、一定の量のデータがＭＳへの送信待ちであることに基づき、チャネル割り当てにおいてＦ−ＳＣＨが必要とされる（即ち、要求され得る）ことを認識する理由を有する場合がある。例えば、データの量が５００バイトなどの閾値を超えることが、Ｆ−ＳＣＨの割り当てをトリガするために用いられてよい。チャネル割り当てにおいてＭＳがＲ−ＳＣＨを必要とすることを、ＭＳからの明示的なＲ−ＳＣＨの要求が存在せずに、ＢＳが予測、即ち、推測してもよい。ＭＳがチャネル割り当てにおいてＲ−ＳＣＨを有することから利益を得る（即ち、Ｒ−ＳＣＨが要求される）ことを予測するとき、次のインジケータのうちの１つ以上がＢＳにより用いられてよい：ＭＳが補助チャネル動作可能であること、利用可能な無線リソースの量が無負荷のシステムにおいて利用可能な無線リソースの３０％などの閾値を超えること（したがって、単に無線リソースが利用可能であり、ＭＳが補助チャネル動作をサポートするために、ＢＳが補助チャネルリソースを割り当てると判定する場合がある）、優先サービスレベルがＭＳに関連付けられていること（おそらくはユーザがより高い加入レートを支払うことにより）、ＭＳの最近の補助チャネル利用、補助チャネルを用いるサービスに関するＭＳの最近の使用、ＭＳからデータバーストメッセージングが受信されること（おそらくはデータバースト型又はコンテンツに基づきＢＳがＲ−ＳＣＨの必要を推測することを可能とする）、ＭＳがデータサービスを要求していること（例えば、サービスオプション（ＳＯ；Ｓｅｒｖｉｃｅ  Ｏｐｔｉｏｎ）フィールドに示されるように）、ＭＳがディスパッチサービスを要求していること（例えば、ＳＯフィールドに示されるように）、ＭＳは送信準備済みのデータを有することをＭＳが示すこと（例えば、データ送信準備済み（ＤＲＳ；Ｄａｔａ  Ｒｅａｄｙ  ｔｏ  Ｓｅｎｄ）フィールドに
示されるように）、送信待ちのデータの量は７００バイトなどの閾値を超えることをＭＳが示すこと、及び、ＭＳのバッテリが不足していること。随意で、Ｆ−ＳＣＨを介し送信されるデータに応答してＭＳからのシグナリングを予測する際のＦ−ＳＣＨの割り当て後、ＢＳがＭＳにＲ−ＳＣＨを割り当ててもよい。
【００３３】
図５は、本発明の第２の実施形態によりＢＳの実行する機能の論理フロー図である。論理フロー５００が開始し（５０２）、ＢＳは非トラフィック状態において、ＭＳから、発呼、再接続又はページ応答など、チャネル割り当て関連メッセージングを受信する（５０４）。しかしながら、チャネル割り当てはＭＳからの要求、即ち、トリガなしで発生し得るので、ＢＳによるチャネル割り当てにそうしたメッセージングは必ずしも必要ではない。続いてＢＳは、ＩＳ−２０００  ＥＣＡＭなど、従来技術のチャネル割り当てメッセージングをＭＳに送信する（５０６）。第２の実施形態では、サービス接続においてＭＳが初期チャネルの提供可能なデータレートより高いデータレートを必要とするか否かを、サービス接続より前にＢＳが判定する。この判定を行う際、第１の実施形態や上述における因子と同じ因子が考慮されてよい。例えば、サービス接続においてＭＳがＦ−ＳＣＨを必要とすること（５０８）や、ＭＳから受信されるメッセージングが明示的にＲ−ＳＣＨを要求すること（５１０）を提示する表示が存在する。或いは、サービス接続においてＭＳがＲ−ＳＣＨを必要とすること（５１２）を提示する表示が存在する。これらの条件のうちのいずれかが提示される場合、条件の保証するところに従い、１つ以上のＲ−ＳＣＨ若しくはＦ−ＳＣＨ又はその両方において、ＢＳはＩＳ−２０００補助チャネル割り当て情報を含むサービス接続メッセージングを送信する（５１６）。いずれも提示されない場合、ＩＳ−２０００  ＳＣＭなど、従来技術のサービス接続メッセージングがＭＳに対し送信され（５１４）、論理フロー５００は終了する（５１８）。
【００３４】
図６，７は、本発明の第１の実施形態（図６）、第２の実施形態（図７）によりＭＳの実行する機能の論理フロー図である。論理フロー６００，７００が開始し（６０２，７０２）、ＭＳは非トラフィック状態においてＢＳにチャネル割り当て関連メッセージングを送信する（６０４，７０４）。しかしながら、チャネル割り当てはＭＳからの要求、即ち、トリガなしで発生し得るので、ＢＳによるチャネル割り当てにそうしたメッセージングは必ずしも必要ではない。第１、第２の実施形態に従い、必要な場合、このチャネル割り当て関連メッセージングにおいて、ＭＳがＲ−ＳＣＨの要求を示してもよい。したがって、このメッセージングは、ＩＳ−２０００の発呼、再接続又はページ応答など、従来技術のメッセージングであってもよく、上述の発呼’、再接続’又はページ応答’など、変更されたメッセージングであってもよい。
【００３５】
第１の実施形態では、続いてＭＳは、ＢＳの判定に従い１つ以上のＲ−ＳＣＨ若しくはＦ−ＳＣＨ又はその両方において、ＩＳ−２０００  ＥＣＡＭなど、初期チャネル割り当て情報及びＩＳ−２０００補助チャネル割り当て情報の両方を含むチャネル割り当てメッセージングをＢＳから受信する（６０６）。次にＭＳは初期チャネル割り当て情報を用いて初期チャネルを取得し（６０８）、続いて、受信したＩＳ−２０００補助チャネル割り当て情報に従い１つ以上のＲ−ＳＣＨ若しくはＦ−ＳＣＨ又はその両方の使用を開始する（６１０）。論理フロー６００は終了する（６１２）。
【００３６】
第２の実施形態では、続いてＭＳは、ＩＳ−２０００  ＥＣＡＭなど、初期チャネル割り当て情報を含む従来技術のチャネル割り当てメッセージングをＢＳから受信する（７０６）。次にＭＳは初期チャネル割り当て情報を用いて初期チャネルを取得する（７０８）。次にＭＳは、ＢＳの判定に従い１つ以上のＲ−ＳＣＨ若しくはＦ−ＳＣＨ又はその両方において、ＩＳ−２０００補助チャネル割り当て情報を含むサービス接続メッセージングを受信する（７１０）。次にＭＳは、受信したＩＳ−２０００補助チャネル割り当て情報に従い１つ以上のＲ−ＳＣＨ若しくはＦ−ＳＣＨ又はその両方の使用を開始し（７１２）
、論理フロー７００は終了する（７１４）。
【図面の簡単な説明】
【００３７】
【図１Ａ】補助チャネル割り当てに関連する従来技術のメッセージングを示すメッセージングフロー図。
【図１Ｂ】本発明の複数の実施形態による補助チャネル割り当てに関連するメッセージングを示すメッセージングフロー図。
【図２】本発明の複数の実施形態による移動体通信システムのブロック図。
【図３】本発明の複数の実施形態により既存のメッセージングに対し追加されるフィールドの例示的なビット定義のテーブル。
【図４】本発明の第１の実施形態により基地局（ＢＳ）の実行する機能の論理フロー図。
【図５】本発明の第２の実施形態により基地局（ＢＳ）の実行する機能の論理フロー図。
【図６】本発明の第１の実施形態により移動局（ＭＳ）の実行する機能の論理フロー図。
【図７】本発明の第２の実施形態により移動局（ＭＳ）の実行する機能の論理フロー図。
【図１Ａ】
2007512774.tif 000003
【図１Ｂ】
2007512774.tif 000004
【図２】
2007512774.tif 000005
【図３】
2007512774.tif 000006
【図４】
2007512774.tif 000007
【図５】
2007512774.tif 000008
【図６】
2007512774.tif 000009
【図７】
2007512774.tif 000010
【国際調査報告】
2007512774.tif 000011